(57)【要約】【課題】ＣＡを提供しているホーム基地局ＨｅＮＢ配下のセル＃１へのハンドオーバを適切に実現する。【解決手段】本発明に係る移動通信方法は、ホーム基地局ＨｅＮＢが、隣接する無線基地局ｅＮＢに対して、ホーム基地局ＨｅＮＢ配下のセル＃１/＃２で使用するＰＣＩ＃１/ＰＣＩ＃２及びＣｅｌｌ  ｉｄｅｎｔｉｔｙ＃Ａを通知する工程と、無線基地局ｅＮＢが、通知されたＰＣＩ＃１/ＰＣＩ＃２とＣｅｌｌ  ｉｄｅｎｔｉｔｙ＃Ａとを対応付けて管理する工程と、無線基地局ｅＮＢが、移動局ＵＥから受信した測定報告に基づいて、かかる測定報告に含まれるＰＣＩ＃２に対応するＣｅｌｌ  ｉｄｅｎｔｉｔｙ＃Ａによって識別されるホーム基地局ＨｅＮＢ配下のセル＃１に対してのハンドオーバ処理を開始する工程とを有する。【選択図】図３
2013081033.tif 000002
【特許請求の範囲】
【請求項１】
ホーム基地局が、隣接する無線基地局に対して、該ホーム基地局配下のセルで使用する物理セル識別情報及びセル識別情報を通知する工程と、
前記無線基地局が、通知された前記物理セル識別情報及び前記セル識別情報を対応付けて管理する工程と、
前記無線基地局が、移動局から受信した測定報告に基づいて、該測定報告に含まれる前記物理セル識別情報に対応する前記セル識別情報によって識別される前記ホーム基地局配下のセルに対してのハンドオーバ処理を開始する工程とを有することを特徴とする移動通信方法。
【請求項２】
隣接するホーム基地局によって通知された該ホーム基地局配下のセルで使用する物理セル識別情報及びセル識別情報を対応付けて管理するように構成されている管理部と、
移動局から受信した測定報告に基づいて、該測定報告に含まれる前記物理セル識別情報に対応する前記セル識別情報によって識別される前記ホーム基地局配下のセルに対してのハンドオーバ処理を開始するように構成されているハンドオーバ処理部とを具備することを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）のＲｅｌ-１０方式において、ホーム基地局ＨｅＮＢは、シングルセル（シングルキャリア）しかサポートしていない。
【０００３】
また、図４に示すように、ＬＴＥのＲｅｌ-１０方式において、無線基地局ｅＮＢ配下のマクロセルを識別するＣｅｌｌ  ｉｄｅｎｔｉｔｙ（２８ビット）は、無線基地局ｅＮＢを識別するｅＮＢ-ＩＤ（２０ビット）と無線基地局ｅＮＢＮ内のセルを識別するためのＩＤ（８ビット）とによって構成されており、ホーム基地局ＨｅＮＢ配下のセルを識別するＣｅｌｌ  ｉｄｅｎｔｉｔｙ（２８ビット）は、ホーム基地局ＨｅＮＢを識別するＨｅＮＢ-ＩＤ（２８ビット）のみによって構成されている。
【０００４】
また、ＬＴＥのＲｅｌ-１０方式において、ホーム基地局ＨｅＮＢは、ＣＡ（Ｃａｒｒｉｅｒ  Ａｇｇｒｅｇａｔｉｏｎ、キャリアアグリゲーション）を提供することができるように構成されている。
【先行技術文献】
【非特許文献】
【０００５】
【非特許文献１】３ＧＰＰ  ＴＳ３６.３００
【発明の概要】
【発明が解決しようとする課題】
【０００６】
しかしながら、ホーム基地局ＨｅＮＢによってＣＡが提供されている場合であっても、ホーム基地局ＨｅＮＢ配下で移動局ＵＥによって接続可能なセルは１つのみである。
【０００７】
すなわち、例えば、図５に示すように、ホーム基地局ＨｅＮＢによってＣＡが提供されており、セル＃１（キャリア＃１）及びセル＃２（キャリア＃２）が提供されている場合であっても、ＬＴＥのＲｅｌ-１０方式に対応する移動局ＵＥは、セル＃１に対してはＰｃｅｌｌとして接続できるが、セル＃２に対してはＳｃｅｌｌとしてしか接続することができない。
【０００８】
ここで、上述のように、ＬＴＥのＲｅｌ-１０方式では、ホーム基地局ＨｅＮＢ配下のセルを識別するＣｅｌｌ  ｉｄｅｎｔｉｔｙは、１つしか存在し得ないため、セル＃１及びセル＃２の各々に対して、別々のＣｅｌｌ  ｉｄｅｎｔｉｔｙを割り当てることができない。
【０００９】
したがって、無線基地局ｅＮＢが、移動局ＵＥから測定報告（Ｍｅａｓｕｒｅｍｅｎｔ  Ｒｅｐｏｒｔ）に基づいて、かかる移動局について、ＣＡを提供しているホーム基地局ＨｅＮＢ配下のセル＃１へのハンドオーバを行うことを決定した場合に、特に、キャリア＃２で無線基地局ｅＮＢに接続している状態から、適切にセル＃１に対してのハンドオーバ処理を開始することができないという問題点があった。
【００１０】
そこで、本発明は、上述の課題に鑑みてなされたものであり、ＣＡを提供しているホーム基地局ＨｅＮＢ配下のセル＃１へのハンドオーバを適切に実現することができる移動通信方法及び無線基地局を提供することを目的とする。
【課題を解決するための手段】
【００１１】
本発明の第１の特徴は、移動通信方法であって、ホーム基地局が、隣接する無線基地局に対して、該ホーム基地局配下のセルで使用する物理セル識別情報及びセル識別情報を通知する工程と、前記無線基地局が、通知された前記物理セル識別情報及び前記セル識別情報を対応付けて管理する工程と、前記無線基地局が、移動局から受信した測定報告に基づいて、該測定報告に含まれる前記物理セル識別情報に対応する前記セル識別情報によって識別される前記ホーム基地局配下のセルに対してのハンドオーバ処理を開始する工程とを有することを要旨とする。
【００１２】
本発明の第１の特徴は、無線基地局であって、隣接するホーム基地局によって通知された該ホーム基地局配下のセルで使用する物理セル識別情報及びセル識別情報を対応付けて管理するように構成されている管理部と、移動局から受信した測定報告に基づいて、該測定報告に含まれる前記物理セル識別情報に対応する前記セル識別情報によって識別される前記ホーム基地局配下のセルに対してのハンドオーバ処理を開始するように構成されているハンドオーバ処理部とを具備することを要旨とする。
【発明の効果】
【００１３】
以上説明したように、本発明によれば、ＣＡを提供しているホーム基地局ＨｅＮＢ配下のセル＃１へのハンドオーバを適切に実現することができる移動通信方法及び無線基地局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を示すシーケンス図である。
【図４】ＬＴＥのＲｅｌ-１０方式の移動通信システムで用いられる「Ｃｅｌｌ  ｉｄｅｎｔｉｔｙ」の構成について説明するための図である。
【図５】ＬＴＥのＲｅｌ-１０方式の仕様について説明するための図である。
【発明を実施するための形態】
【００１５】
（本発明の第１の実施形態に係る移動通信システム）
図１乃至図３を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１６】
図１に示すように、本実施形態に係る移動通信システムは、マクロセル＃１/＃２を管理する無線基地局ｅＮＢと、セル＃１/＃２を管理するホーム基地局ＨｅＮＢとを具備している。なお、ホーム基地局ＨｅＮＢは、ＣＡを提供しているものとする。
【００１７】
ここで、本実施形態に係る移動通信システムでは、マクロセル＃１及びセル＃１は、周波数Ｆ１のキャリアによって運用されており、マクロセル＃２及びセル＃２は、周波数Ｆ２のキャリアによって運用されているものとする。
【００１８】
すなわち、本実施形態に係る移動通信システムでは、無線基地局ｅＮＢ及びホーム基地局ＨｅＮＢは、ＣＡを提供しているものとする。
【００１９】
また、本実施形態に係る移動通信システムでは、マクロセル＃１のエリア内にセル＃１が存在しており、マクロセル＃２のエリア内にセル＃２が存在しているものとする。
【００２０】
ここで、ＬＴＥのＲｅｌ-１０方式に対応する移動局ＵＥは、セル＃１に対してはＰｃｅｌｌとして接続することができるが、セル＃２に対してはＳｃｅｌｌとしてしか接続することができない。なお、ＬＴＥのＲｅｌ-８/９方式に対応する移動局ＵＥは、セル＃１に対しては接続することができるが、セル＃２に対しては接続することができない。
【００２１】
また、図１の例では、セル＃１で使用するＰＣＩ（Ｐｈｙｓｉｃａｌ  Ｃｅｌｌ  ＩＤ、物理セル識別情報）及びＣｅｌｌ  ｉｄｅｎｔｉｔｙとして、ＰＣＩ＃１及びＣｅｌｌ  ｉｄｅｎｔｉｔｙ＃Ａが割り当てられており、セル＃２で使用するＰＣＩ及びＣｅｌｌ  ｉｄｅｎｔｉｔｙとして、ＰＣＩ＃２及びＣｅｌｌ  ｉｄｅｎｔｉｔｙ＃Ａが割り当てられているものとする。
【００２２】
すなわち、セル＃１及びセル＃２で使用するＣｅｌｌ  ｉｄｅｎｔｉｔｙとして、同一のＣｅｌｌ  ｉｄｅｎｔｉｔｙ＃Ａが割り当てられているものとする。
【００２３】
ここで、本実施形態に係る移動通信システムでは、セル＃１が、Ｐｃｅｌｌであり、セル＃２が、Ｓｃｅｌｌであるものとする。
【００２４】
図２に示すように、無線基地局ｅＮＢは、受信部１１と、管理部１２と、ハンドオーバ処理部１３とを具備している。
【００２５】
受信部１１は、移動局ＵＥや隣接するホーム基地局ＨｅＮＢからの各種信号を受信するように構成されている。
【００２６】
例えば、受信部１１は、移動局ＵＥから、測定報告を受信したり、ＣＡを提供しているホーム基地局ＨｅＮＢから、ホーム基地局ＨｅＮＢ配下のセル＃１/＃２で使用するＰＣＩ＃１/ＰＣＩ＃２及びＣｅｌｌ  ｉｄｅｎｔｉｔｙ＃Ａを示す情報を受信したりするように構成されている。
【００２７】
ここで、受信部１１は、かかるホーム基地局ＨｅＮＢから、ＰＣＩ＃１/ＰＣＩ＃２のうち、どちらがＰｃｅｌｌ（又は、Ｓｃｅｌｌ）であるかを示す情報を取得するように構成されている。
【００２８】
管理部１２は、ホーム基地局ＨｅＮＢで使用するＰＣＩ＃１/ＰＣＩ＃２及びＣｅｌｌ  ｉｄｅｎｔｉｔｙ＃Ａを対応付けて管理するように構成されている。ここで、管理部１２は、ＰＣＩ＃１/ＰＣＩ＃２のうち、どちらかＰｃｅｌｌ（又は、Ｓｃｅｌｌ）であるかについて管理するように構成されている。
【００２９】
すなわち、本実施形態に係る移動通信システムでは、管理部１２は、ＰＣＩ＃１によって識別されるセル＃１をＰｃｅｌｌとして管理し、ＰＣＩ＃２によって識別されるセル＃２をＳｃｅｌｌとして管理するように構成されている。
【００３０】
ハンドオーバ処理部１３は、無線基地局ｅＮＢ配下のマクロセル＃１においてＣｏｎｎｅｃｔｅｄ状態にある移動局ＵＥについてのハンドオーバ処理を行うように構成されている。
【００３１】
ハンドオーバ処理部１３は、受信部１１によって受信された測定報告に基づいて、移動局ＵＥについて、かかる測定報告に含まれるＰＣＩに対応するＣｅｌｌ  ｉｄｅｎｔｉｔｙによって識別されるホーム基地局ＨｅＮＢ配下のセルに対してのハンドオーバ処理を開始するように構成されている。
【００３２】
すなわち、ハンドオーバ処理部１３は、移動局ＵＥについて、かかる測定報告に含まれるＰＣＩ＃１に対応するＣｅｌｌ  ｉｄｅｎｔｉｔｙ＃Ａによって識別されるセル＃１に対してのハンドオーバ処理を開始するように構成されている。
【００３３】
なお、ハンドオーバ処理部１３は、かかる測定報告にＰＣＩ＃２が含まれている場合であっても、移動局ＵＥについて、セル＃２（Ｓｃｅｌｌ）に対してではなく、ＰＣＩ＃２に対応するＣｅｌｌ  ｉｄｅｎｔｉｔｙ＃Ａによって識別されるセル＃１（Ｐｃｅｌｌ）に対してのハンドオーバ処理を開始するように構成されている。
【００３４】
以下、図３を参照して、本実施形態に係る移動通信システムの動作例について説明する。
【００３５】
図３に示すように、ホーム基地局ＨｅＮＢは、ステップＳ１００１において、隣接する無線基地局ｅＮＢに対して、ホーム基地局ＨｅＮＢ配下のセル＃１/＃２で使用するＰＣＩ＃１/ＰＣＩ＃２及びＣｅｌｌ  ｉｄｅｎｔｉｔｙ＃Ａを通知する。
【００３６】
ここで、ホーム基地局ＨｅＮＢは、ＣＡの提供を開始する際に、ＰＣＩ＃１/ＰＣＩ＃２及びＣｅｌｌ  ｉｄｅｎｔｉｔｙ＃Ａを通知してもよいし、無線基地局ｅＮＢとの接続を行う際に、ＰＣＩ＃１/ＰＣＩ＃２及びＣｅｌｌ  ｉｄｅｎｔｉｔｙ＃Ａを通知してもよいし、所定のタイミングで、ＰＣＩ＃１/ＰＣＩ＃２及びＣｅｌｌ  ｉｄｅｎｔｉｔｙ＃Ａを通知してもよい。
【００３７】
ステップＳ１００２において、無線基地局ｅＮＢは、ホーム基地局ＨｅＮＢによって通知されたＰＣＩ＃１/ＰＣＩ＃２とＣｅｌｌ  ｉｄｅｎｔｉｔｙ＃Ａとを対応付けて管理する。
【００３８】
ステップＳ１００３において、マクロセル＃２においてＣｏｎｎｅｃｔｅｄ状態の移動局ＵＥは、無線基地局ｅＮＢに対して、ＰＣＩ＃２によって識別されるセル＃２における測定結果を含む測定報告（Ｍｅａｓｕｒｅｍｅｎｔ  Ｒｅｐｏｒｔ）を送信する。
【００３９】
ステップＳ１００４において、無線基地局ｅＮＢは、セル＃２における測定結果に基づいて、移動局ＵＥについてのハンドオーバを行うことを決定した場合、ＰＣＩ＃２に対応するＣｅｌｌ  ｉｄｅｎｔｉｔｙ＃Ａによって識別されるセル＃１に対してのハンドオーバ処理を開始する。
【００４０】
本実施形態に係る移動通信システムによれば、無線基地局ｅＮＢが、ＣＡを提供しているホーム基地局ＨｅＮＢ配下のセル＃１/＃２で使用されるＰＣＩ＃１/ＰＣＩ＃２とＣｅｌｌ  ｉｄｅｎｔｉｔｙ＃Ａとを対応付けて管理するように構成されているため、かかるホーム基地局ＨｅＮＢ配下のセル＃１へのハンドオーバを適切に実現することができる。
【００４１】
以上に述べた本実施形態の特徴は、以下のように表現されていてもよい。
【００４２】
本実施形態の第１の特徴は、移動通信方法であって、ホーム基地局ＨｅＮＢが、隣接する無線基地局ｅＮＢに対して、ホーム基地局ＨｅＮＢ配下のセル＃１/＃２で使用するＰＣＩ＃１/ＰＣＩ＃２（物理セル識別情報）及びＣｅｌｌ  ｉｄｅｎｔｉｔｙ＃Ａ（セル識別情報）を通知する工程と、無線基地局ｅＮＢが、通知されたＰＣＩ＃１/ＰＣＩ＃２とＣｅｌｌ  ｉｄｅｎｔｉｔｙ＃Ａとを対応付けて管理する工程と、無線基地局ｅＮＢが、移動局ＵＥから受信した測定報告に基づいて、かかる測定報告に含まれるＰＣＩ＃２に対応するＣｅｌｌ  ｉｄｅｎｔｉｔｙ＃Ａによって識別されるホーム基地局ＨｅＮＢ配下のセル＃１に対してのハンドオーバ処理を開始する工程とを有することを要旨とする。
【００４３】
本実施形態の第２の特徴は、無線基地局ｅＮＢであって、隣接するホーム基地局ＨｅＮＢによって通知されたホーム基地局ＨｅＮＢ配下のセル＃１/＃２で使用するＰＣＩ＃１/ＰＣＩ＃２とＣｅｌｌ  ｉｄｅｎｔｉｔｙ＃Ａとを対応付けて管理するように構成されている管理部１２と、移動局ＵＥから受信した測定報告に基づいて、かかる測定報告に含まれるＰＣＩ＃１/ＰＣＩ＃２に対応するＣｅｌｌ  ｉｄｅｎｔｉｔｙ＃Ａによって識別されるホーム基地局ＨｅＮＢ配下のセル＃１に対してのハンドオーバ処理を開始するように構成されているハンドオーバ処理部１３とを具備することを要旨とする。
【００４４】
なお、上述の無線基地局ｅＮＢやホーム基地局ＨｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００４５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢやホーム基地局ＨｅＮＢや移動局ＵＥ内に設けられていてもよい。また、かかる記憶媒体及びプロセッサは、ディスクリートコンポーネントとして無線基地局ｅＮＢやホーム基地局ＨｅＮＢや移動局ＵＥ内に設けられていてもよい。
【００４７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４８】
ｅＮＢ…無線基地局
ＨｅＮＢ…ホーム基地局
ＵＥ…移動局
１１…受信部
１２…管理部
１３…ハンドオーバ処理部
【図１】
2013081033.tif 000003
【図２】
2013081033.tif 000004
【図３】
2013081033.tif 000005
【図４】
2013081033.tif 000006
【図５】
2013081033.tif 000007